(57)【要約】      （修正有）【課題】あご又はもどりがない釣針にあっても、釣損じが発生しにくい釣針を提供する。【解決手段】針先部１の内側１ａであってあごまたはもどりを設けるべき付近２に、複数の溝３、３を形成する。そして、前記複数の溝３、３が形成されているところと反対側の針先部外側１ｂに、外突弧状の突条４を形成するとともに、その両側を窪ませる。外突弧状の突条４とその両側の窪み部分５、５の稜線がナイフエッジに形成され、針先がそれだけ鋭くなる。特に、外突弧状の突条４とその両側の窪み部分５、５の稜線がナイフエッジに形成されているので、針先への差し込み時の抵抗がより小さくなり、釣魚に傷を付けないという効果を一層助長することができる。【選択図】図２
0003153993.tif 000002
【実用新案登録請求の範囲】
【請求項１】
針先部の内側であってあごまたはもどりを設けるべき付近に、複数の溝を形成し、前記複数の溝が形成されているところと反対側の針先部外側に、外突弧状の突条を形成するとともに、その両側を窪ませたことを特徴とする釣針。
【請求項２】
小さいサイズの針については、溝の数を少なくしたことを特徴とする請求項１記載の釣針。
【請求項３】
ちもと部の腹面から糸巻付箇所を経た軸上部にわたって、縦溝を形成したことを特徴とする請求項１記載の釣針。
【考案の詳細な説明】
【技術分野】
【０００１】
本考案は、いわゆるスレ針と称して針先部に通常の『あご』または『もどし（もどり）』が設けられていない釣針に関するものである。
【背景技術】
【０００２】
近年、競技釣りが盛んで、いわゆるフィッシュ・アンド・リリースと称して、釣魚を釣った場所に戻すような習慣が定着しつつある。このような慣習を守るためには、釣魚に傷を付けないようにしなければならない。
【０００３】
このような趣旨で考え出されたのがスレ針で、欧米でも早くからＢＡＲＢＬＥＳＳ ＨＯＯＫＳと称され、鮭や鱒を釣るのに愛用されてきた。この針を使えば、釣魚に傷を付けることがなく、リリースしてやると元気に戻っていくので、上記慣習を守るのには最適な釣針であると言える。
【０００４】
しかしながら、このスレ針を使用した場合には、慣れないと釣損じが起り得る。針先部に通常の『あご』または『もどり（もどし）』が設けられていないからである。それを解消するために、本出願人は、針先部の内側であってあごまたはもどりを設けるべき付近に、複数の溝を形成することを提案している（例えば、特許文献１参照）。このようにすることで、釣魚に傷を付けずに、しかも、釣り損じしないという、相反する要望を満たすことができるようになった。
【先行技術文献】
【特許文献】
【０００５】
【特許文献１】登録実用新案第３１３５２６４号公報
【考案の概要】
【考案が解決しようとする課題】
【０００６】
しかしながら、上記の釣針においては、針先の鋭さに欠けるきらいがある。本考案はこの欠点を解消しつつ、釣魚に傷を付けずに、しかも、釣り損じしないという、相反する要望を満たすことができるようにしたものである。
【課題を解決するための手段】
【０００７】
この目的を達成するために、本考案では、前記複数の溝が形成されているところと反対側の針先部外側に、外突弧状の突条を形成するとともに、その両側を窪ませる。このようにすることにより、外突弧状の突条とその両側の窪み部分の稜線がナイフエッジに形成されるので、針先がそれだけ鋭くなる。
【０００８】
特に、外突弧状の突条とその両側の窪み部分の稜線がナイフエッジに形成されているので、針先への差し込み時の抵抗がより小さくなり、釣魚に傷を付けないという効果を一層助長することができる。
【０００９】
すなわち、本考案は、針先部の内側であってあごまたはもどりを設けるべき付近に複数の溝を形成する技術と、前記複数の溝が形成されているところと反対側の針先部外側に、外突弧状の突条を形成するとともに、その両側を窪ませる技術とを組み合わせることを特徴とするものである。そして、両技術を組み合わせることにより、上述したような効果を発揮することができる。
【００１０】
小さいサイズの針については、溝の数を少なくするとよい。例えば、比較的大きいサイズの針については、５本程度の溝を形成し、小さいサイズの針については、３本程度と溝の数を少なくするのがよい。このようにすることで、小さいサイズの針に対する溝形成加工も簡単に行うことができる。
【００１１】
ちもと部の腹面から糸巻付箇所を経て軸上部にわたって、縦溝を形成しておくとよい。このような縦溝が形成されていると、この縦溝内に釣糸の出糸を位置させて糸巻付箇所に釣糸を巻き付けることができる。したがって、糸切れがしないのみならず、巻き付けられた釣糸が回転しにくい。
【考案の効果】
【００１２】
請求項１記載の考案によれば、釣魚に傷を付けずに、しかも、釣り損じしないという、相反する要望を満たすことができる。また、外突弧状の突条とその両側の窪み部分の稜線がナイフエッジに形成されるので、針先がそれだけ鋭くなる。特に、針先への差し込み時の抵抗がより小さくなるので、釣魚に傷を付けないという効果を一層助長することができる。
【００１３】
請求項２記載の考案によれば、小さいサイズの針に対する溝形成加工も簡単に行うことができる。
【００１４】
請求項３記載の考案によれば、ちもと部の腹面から糸巻付箇所を経て軸上部にわたって形成されている縦溝に、釣糸の出糸を位置させて糸巻付箇所に釣糸を巻き付けることができるので、糸切れがしないのみならず、巻き付けられた釣糸が回転しにくい。
【図面の簡単な説明】
【００１５】
【図１】本考案を実施するための形態の一例を示す全体の正面図である。
【図２】針先部から軸部までを示す一部の拡大側面図である。
【図３】針先部のみをさらに拡大して示す一部の斜視図である。
【考案を実施するための形態】
【００１６】
本考案を実施するための形態の一例を、図面に基づいて詳細に説明する。図２に示すように、釣針Ａの針先部１の内側１ａであってあごまたはもどりを設けるべき付近２に、複数の溝３、３が形成されている。このようにすることで、釣魚に傷を付けずに、しかも、釣り損じすることがない。この２つの要望は本来相反することであるが、上記構成とすることによって、この相反する要望を満たすことができる最も理想的な釣針を提供することができる。
【００１７】
そして、前記複数の溝３、３が形成されているところと反対側の針先部外側１ｂに、外突弧状の突条４を形成するとともに、その両側を窪ませる。このようにすることにより、外突弧状の突条４とその両側の窪み部分５、５の稜線６、６がナイフエッジに形成されるので、針先がそれだけ鋭くなる。
【００１８】
特に、外突弧状の突条４とその両側の窪み部分５、５の稜線６、６がナイフエッジに形成されているので、針先への差し込み時の抵抗がより小さくなり、釣魚に傷を付けないという効果を一層助長することができる。
【００１９】
前記溝３は、出来るだけ細くて浅くすることが望ましい。そのようにした方が、釣魚により傷を付けないようにすることができるのみならず、溝３を太くかつ深く形成した場合よりも折れにくいからである。
【００２０】
また、前記溝３の数は３〜５本程度とするのが好ましく、小さいサイズの針については、溝の数を少なくするとよい。例えば、比較的大きいサイズの針については、５本程度の溝を形成し、小さいサイズの針については、３本程度と溝の数を少なくするのがよい。このようにすることで、小さいサイズの針に対する溝形成加工も簡単に行うことができる。
【００２１】
ちもと部７の腹面７ａから糸巻付箇所８を経て軸９の上部９ａにわたって、縦溝１０を形成しておくとよい。このような縦溝１０が形成されていると、この縦溝１０内に図示を省略した釣糸の出糸を位置させて糸巻付箇所８に釣糸を巻き付けることができる。したがって、糸切れがしないのみならず、巻き付けられた釣糸が回転しにくい。
【００２２】
なお、ここに示す例は本考案を実施するための形態の一例であって、本考案の実施に際して、各部の形状は図示した態様の場合のみに限定されるものではなく、本考案の要旨に沿って種々の設計変更が可能である。
【符号の説明】
【００２３】
１…針先部、１ｂ…針先部の外側、２…あごまたはもどりを設けるべき付近、３…溝、４…突条、５…窪み部分、６…稜線、７…ちもと部、７ａ…腹面、８…糸巻付箇所、９…軸、９ａ…軸上部、１０…縦溝、Ａ…釣針。
【図１】
0003153993.tif 000003
【図２】
0003153993.tif 000004
【図３】
0003153993.tif 000005